(57)【要約】【課題】本発明は、家庭などの玄関、居間、応接室、トイレ、車内などで使用される揮発性芳香剤用器具に関するもので、視覚的なディスプレイ効果を有し、また装飾性や美的訴求力を発揮し、更にインテリア調でありながら消費者に購買意欲を喚起させる芳香剤を含浸させた芳香シートを用いて、従来の芳香剤容器と同等以上のディスプレイ効果と芳香揮散機能を兼ね備えたディスプレイタイプのスタンド式芳香シート用器具を提供する。【解決手段】下部に光透過性の芳香シート１２を保持するシート保持部１１を設けた透明保持板Ａと、前面に前記保持板Ａが装着される開口枠部９を設けた筐体Ｂとからなる器具であって、該筐体Ｂ内部に視覚的なディスプレイ効果を有する芳香シート１２を透過して可視される光量の発光ダイオードなどの発光体１を設けたスタンド式芳香シート用器具である。【選択図】図１
2004174053.tif 000002
【特許請求の範囲】
【請求項１】
下部に光透過性の芳香シートを保持するシート保持部を設けた透明保持板と、前面に前記保持板が装着される開口枠部を設けた筐体とからなる器具であって、該筐体内部に前記芳香シートを透過して可視される光量の発光体を設けたことを特徴とするスタンド式芳香シート用器具。
【請求項２】
前記透明板は光透過性の合成樹脂からなることを特徴とする請求項１記載のスタンド式芳香シート用器具。
【請求項３】
前記筐体は合成樹脂からなることを特徴とする請求項１又は２記載のスタンド式芳香シート用器具。
【請求項４】
前記発光体は発光ダイオード（ＬＥＤ）、レーザダイオード（ＬＤ）、真空管型光源のいずれか１種からなることを特徴とする請求項１乃至３のいずれか１項記載のスタンド式芳香シート用器具。
【請求項５】
前記発光体はオンオフ切り換え用のスイッチと一定時間の自動オフ機能を有することを特徴とする請求項１乃至４のいずれか１項記載のスタンド式芳香シート用器具。
【請求項６】
前記芳香シートは芳香剤を含浸・揮散可能で、且つ発光体による光が透過可能な紙を使用していることを特徴とする請求項１乃至５のいずれか１項記載のスタンド式芳香シート用器具。
【請求項７】
前記芳香シートの紙厚は、９０ｇ／ｍ２  〜４００ｇ／ｍ２    であることを特徴とする請求項１乃至６のいずれか１項記載のスタンド式芳香シート用器具。
【請求項８】
前記芳香シートはその表面に絵柄を設け、且つその裏面に光透過時にシルエットとなる絵柄を形成したことを特徴とする請求項１乃至７のいずれか１項記載のスタンド式芳香シート用器具。
【請求項９】
前記シルエットとなる絵柄が黒又は灰色の無彩色系の色調で印刷されていることを特徴とする請求項８記載のスタンド式芳香シート用器具。
【請求項１０】
前記芳香シートはその中間に折り罫線を設け、該折り罫線に対して一方面に表面絵柄部と、他方面に光透過時にシルエットとなる裏面抜き部を設け、該芳香シートの前記表面絵柄部と前記裏面抜き部とを前記折り罫線を介して折り重ねて使用することを特徴とする請求項１乃至７のいずれか１項記載のスタンド式芳香シート用器具。
【発明の詳細な説明】
【０００１】
【発明の属する技術分野】
本発明は、家庭などの玄関、居間、応接室、トイレなどで使用される揮発性芳香剤用器具に関するもので、さらに詳しくは視覚的なディスプレイ効果を有する芳香シートと該芳香シートを用いたインテリア調のスタンド式芳香シート用器具に関するものである。
【０００２】
【従来の技術】
従来から使用されているこの種の揮発性芳香剤用器具は、プラスチック樹脂を成形して作製されたプラスチック容器や陶器のような素焼き製の容器であり、これらの容器に芳香剤を収納したものが一般的である。
【０００３】
該容器形態は芳香剤を揮散させる目的の形状の他に消費者の購入意欲を喚起する形状であり、家庭内で置物のとしての利用も配慮したデザインの容器が用いられている。
【０００４】
例えば、消費者は初めに芳香剤入り容器を購入するが、再購入の際は一般的にプラスチック袋に入った芳香剤だけを購入し、当初購入した芳香剤入り容器を再利用する場合が多い。
【０００５】
これらの容器は単に芳香剤を収納し、且つ芳香剤を揮散させる役割が主目的で装飾性や美的訴求力については、容器の形状や色彩などを施している程度で食品包装などと類似した思想しかない容器を芳香剤用器具として用いているのが現状である。
【０００６】
また、その芳香剤自身もただ単純に液体や固形状のものを容器に収納しており、芳香剤を何らかの方法で変化させてその効能を発揮させていない。
【０００７】
【発明が解決しようとする課題】
本発明は従来の芳香剤用器具にはない装飾性や美的訴求力を発揮し、視覚的なディスプレイ効果を有する芳香シートを用いたインテリア調で且つ従来の芳香機能を備えたディスプレイタイプのスタンド式芳香シート用器具を提供する。
【０００８】
【課題を解決するための手段】
本発明は、上記のような課題を解決する為に成されたもので、本発明の請求項１に係る発明は、下部に光透過性の芳香シート１２を保持するシート保持部１１を設けた透明保持板Ａと、前面に前記保持板Ａが装着される開口枠部９を設けた筐体Ｂとからなる器具であって、該筐体Ｂ内部に前記芳香シート１２を透過して可視される光量の発光体１を設けたことを特徴とするスタンド式芳香シート用器具である。
【０００９】
本発明の請求項２に係る発明は、請求項１記載のスタンド式芳香シート用器具において、前記透明板８は光透過性の合成樹脂からなることを特徴とするスタンド式芳香シート用器具である。
【００１０】
本発明の請求項３に係る発明は、請求項１又は２記載のスタンド式芳香シート用器具において、前記筐体Ｂは合成樹脂からなることを特徴とするスタンド式芳香シート用器具である。
【００１１】
本発明の請求項４に係る発明は、請求項１乃至３のいずれか１項記載のスタンド式芳香シート用器具において、発光ダイオード（ＬＥＤ）、レーザダイオード（ＬＤ）、真空管型光源のいずれか１種からなることを特徴とするスタンド式芳香シート用器具である。
【００１２】
本発明の請求項５に係る発明は、請求項１乃至４のいずれか１項記載のスタンド式芳香シート用器具において、前記発光体１はオンオフ切り換え用のスイッチ３と一定時間の自動オフ機能を有することを特徴とするスタンド式芳香シート用器具である。
【００１３】
本発明の請求項６に係る発明は、請求項１乃至５のいずれか１項記載のスタンド式芳香シート用器具において、前記芳香シート１２は芳香剤を含浸・揮散可能で、且つ発光体１による光が透過可能な紙を使用していることを特徴とするスタンド式芳香シート用器具である。
【００１４】
本発明の請求項７に係る発明は、請求項１乃至６のいずれか１項記載のスタンド式芳香シート用器具において、前記芳香シート１２の紙厚は、９０ｇ／ｍ２  〜４００ｇ／ｍ２    であることを特徴とするスタンド式芳香シート用器具である。
【００１５】
本発明の請求項８に係る発明は、請求項１乃至７のいずれか１項記載のスタンド式芳香シート用器具において、前記芳香シート１２はその表面１２ａに絵柄を設け、且つその裏面１２ｂに光透過時にシルエットとなる絵柄を形成したことを特徴とするスタンド式芳香シート用器具である。
【００１６】
本発明の請求項９に係る発明は、請求項８記載のスタンド式芳香シート用器具において、前記シルエットとなる絵柄が黒又は灰色の無彩色系の色調で印刷されていることを特徴とするスタンド式芳香シート用器具である。
【００１７】
本発明の請求項１０に係る発明は、請求項１乃至７のいずれか１項記載のスタンド式芳香シート用器具において、前記芳香シート１２はその中間に折り罫線１２ｅを設け、該折り罫線１２ｅに対して一方面に表面絵柄部１２ｄと、他方面に光透過時にシルエットとなる裏面抜き部１２ｆを設け、該芳香シート１２の前記表面絵柄部１２ｄと前記裏面抜き部１２ｆとを前記折り罫線１２ｅを介して折り重ねて使用することを特徴とするスタンド式芳香シート用器具である。
【００１８】
【発明の実施の形態】
次に、本発明を図１から図９に示す実施の形態に基づいて詳細に説明する。
【００１９】
図１は、本発明に係るスタンド式芳香シート用器具の一実施例を示す平面図である。
【００２０】
図２は、本発明に係るスタンド式芳香シート用器具の他の実施例を示す側断面図である。
【００２１】
図３は、本発明に係るスタンド式芳香シート用器具において芳香シート１２を保持した形態の他の実施例を示す側断面図である。
【００２２】
図４は、本発明に係るスタンド式芳香シート用器具において芳香シート１２を保持した形態の一実施例を示すＸ−Ｘ側断面図である。
【００２３】
図５は、本発明に係る芳香シート１２の表面１２ａに絵柄を設けた形態の一実施例を示す平面図である。
【００２４】
図６は、本発明に係る芳香シート１２の裏面１２ｂに光透過時にシルエットとなる絵柄を形成した形態の一実施例を示す平面図である。
【００２５】
図７は、本発明に係る芳香シート１２の表面１２ａに光透過時に裏面１２ｂの絵柄がシルエットとなって浮かび上がった形態の一実施例を示す平面図である。
【００２６】
図８は、本発明に係る芳香シート１２の一方面に表面絵柄部１２ｄと、他方面に光透過時にシルエットとなる裏面抜き部１２ｆを設けた形態の他の実施例を示す平面図である。
【００２７】
図９は、本発明に係る図８の芳香シート１２の表面絵柄部１２ｄと光透過時にシルエットとなる裏面抜き部１２ｆとを重ね合わせ該芳香シート１２の表面絵柄部１２ｄに裏面抜き部１２ｆがシルエットとなって浮かび上がった形態の他の実施例を示す平面図である。
【００２８】
図１から図４に示すように、本発明のスタンド式芳香シート用器具は、下部に光透過性の芳香シート１２を保持するシート保持部１１を設けた透明保持板Ａと、前面に前記保持板Ａが装着される開口枠部９を設けた筐体Ｂとからなる器具であって、該筐体Ｂ内部に前記芳香シート１２を透過して可視される光量の発光体１を設けた構造になっている。
【００２９】
前記透明板８は合成樹脂からなり、アクリル樹脂、ポリエチレンテレフタレート樹脂、ポリスチレン樹脂、アクリロニトリル・スチレン共重合体樹脂などを用いることができるが透明性、コスト面などを考慮してアクリル樹脂が好ましい。
【００３０】
前記筐体Ｂは合成樹脂からなり、アクリロニトリル・ブタジェン・スチレン共重合体樹脂、ポリプロピレン樹脂、耐衝撃性ポリスチレン樹脂などを用いることができるが成形性、強度面などからアクリロニトリル・ブタジェン・スチレン共重合体樹脂が好ましい。
【００３１】
前記発光体１は半導体の発光ダイオード（ＬＥＤ）、レーザダイオード（ＬＤ）、真空管型光源（白熱ランプ、蛍光ランプ、水銀ランプ、キセノンランプ）などを筐体Ｂのフレームにビス５により取り付けられたプリント基板２に組み込んで用いるが乾電池レベルの電源で発光するものであれば特に制約はされないがコンパクト性、安全性、持続性、光量、消費電力、発熱性、耐久性、経済性などを考慮すると発光ダイオード（ＬＥＤ）が好ましい。
【００３２】
前記発光ダイオード（ＬＥＤ）には発光スペクトルのピーク波長から大きく分けて可視ＬＥＤと赤外ＬＥＤがある。発光ダイオード（ＬＥＤ）は各種あり輝度、効率、発光色が異なるので芳香シートとの関係を考慮して選択する。
【００３３】
前記発光体１はオンオフ切り換え用のスイッチ３と一定時間の自動オフ機能を有することが望ましい。
【００３４】
前記電源は電気を供給できるものであれば特に制約はされないが、乾電池ボックス４に一般的な単三乾電池１０を２本セットするのが好ましい。
【００３５】
該透明板８の下部に芳香シート１２を取り外し可能に保持するシート保持部１１を設けた透明保持板Ａを作製する。
【００３６】
該透明保持板Ａを作製する方法は、インジェクション成形方法（射出成形方法）などを用いることができる。
【００３７】
前記芳香シート１２は芳香剤を含浸後、徐々に揮散することができ、またオフセット印刷などの印刷適性があり、更に光透過性がある紙ならば特に制約されないが上質紙が好ましい。
【００３８】
また、該芳香シート１２の紙厚は、９０ｇ／ｍ２  〜４００ｇ／ｍ２    であることが好ましい。
【００３９】
該芳香シート１２の作製方法は、上質紙などの紙に液状の芳香剤を浸せき方式やスプレー方式で浸透させ印刷前の芳香シート１２原反を作製し、その後オフセット印刷などにより絵柄を印刷して芳香シート１２を作製する方法がある。
【００４０】
または、予め絵柄を印刷した上質紙などの原反に液状の芳香剤を浸せき方式やスプレー方式で浸透させ芳香シート１２を作製する方法がある。
【００４１】
更に、芳香剤をマイクロカプセル化して通常のシルクスクリーン印刷インキやグラビア印刷インキなどと混合し、絵柄印刷と同時に芳香シート１２を作製する方法もあるが、印刷前の芳香シート１２原反を作製し、その後オフセット印刷などにより絵柄を印刷して芳香シート１２を作製する方法が好ましい。
【００４２】
該芳香シート１２に使用する芳香剤は、公知の芳香剤を使用することができるが、紙に容易に浸透し、使用時には徐々に揮散するものが好ましい。
【００４３】
前記印刷方式は、オフセット印刷方式、グラビア印刷方式、凸版印刷方式、凹版印刷方式、シルクスクリーン印刷方式、フレキソ印刷方式、転写印刷方式、インキジェット方式、電子写真方式などの公知の印刷方法を用いることができ、芳香シートの材質である紙に絵柄などを印刷することができれば特に印刷方式に制約されることはないが美麗な印刷を施すことができ、経済的であるオフセット印刷方式が好ましい。
【００４４】
【実施例】
次に実施例により、本発明を具体的に説明する。
【００４５】
＜実施例１＞
図１及び図４に示すように透明板８の四隅に係り止め用フック孔７を設け、該透明板８の下部に光透過性の芳香シート１２を保持するシート保持部１１を設けた四角形状の取り外し自在な透明保持板Ａを作製するためアクリル樹脂を用いてインジェクション成形方法（射出成形方法）により成形した。
【００４６】
次に、天地、左右、及び背後の周壁部が一体成形され、且つ前面に前記保持板Ａが装着される開口枠部９を設けた構造の筐体Ｂの作製にはアクリロニトリル・ブタジェン・スチレン共重合体樹脂を用いて同様にインジェクション成形方法（射出成形方法）により成形した。
【００４７】
前記筐体Ｂ内部に前記芳香シート１２を透過して可視される光量の発光体１として橙色発光ダイオード（ＬＥＤ）をプリント基板２に組み込み、該プリント基板２をビス５により該筐体Ｂのフレームに取り付けた。
【００４８】
また、発光体１である橙色発光ダイオード（ＬＥＤ）の点灯開始と点灯時間を制御する機能を有するオンオフ切り換え用のスイッチ３を筐体Ｂのフレームに組み込んだ。
【００４９】
更に電源として、乾電池ボックス４に一般的な単三型乾電池１０を２本セットした。
【００５０】
次に、前記透明保持板Ａと前記発光体１などが組み込まれた前記筐体Ｂを該透明保持板Ａの係り止め用フック孔７と該筐体Ｂの開口枠部９フレームに設けられた係り止め用フック６を用いて取り外し自在に一体化しても良いし、接着剤などにより完全に固定して取り外しができない形態のスタンド式芳香シート用器具にしてもよい。
【００５１】
また、該透明保持板Ａと該筐体Ｂをプリント基板２などの部品を組み込みが可能な範囲の開口部を有する形態の金型でインジェクション成形方法（射出成形方法）により一体成形してスタンド式芳香シート用器具を作製しても良い。
【００５２】
次に、紙厚が１５７ｇ／ｍ２  の上質紙からなる１枚物の芳香シート１２に図５に示すような美麗な波が漂う海の絵柄をオフセット印刷方式で印刷して表面１２ａを形成し、次に図６に示すように同一の芳香シート１２の対称となる裏面１２ｂに光透過時にシルエットとして浮かび上がるように２匹のイルカの絵柄を背景を黒ベタ地で白抜きにしてオフセット印刷方式で形成した。
【００５３】
このような方法で作製した芳香シート１２を図４に示すように本発明のスタンド式芳香シート用器具の透明保持板Ａ下部に設けられたシート保持部１１にセットし、該器具のスイッチをオンにしたところ、図７に示すように発光体の光により、裏面１２ｂに形成されている２匹のイルカの絵柄がシルエットとして浮かびあがり、芳香シート１２の表面１２ｃが幻想的な雰囲気を醸し出しながら、同時に芳香シート１２から芳香剤が揮散し、香気がただよった。
【００５４】
＜実施例２＞
次に、実施例１と同じスタンド式芳香シート用器具を用いて、芳香シート１２は他の形態として紙厚が８１．４ｇ／ｍ２  の上質紙からなる芳香シート１２に図８に示すように、先ず、オフセット印刷方式により一方面に表面絵柄部１２ｄとして雲がたなびく絵柄を印刷し、他方面に光透過時にシルエットとなる裏面抜き部１２ｆとして半月を打ち抜き、同時に表面絵柄部１２ｄと裏面抜き部１２ｆの中間に折り罫線１２ｅを設けた。
【００５５】
このような方法で作製した芳香シート１２の前記表面絵柄部１２ｄと前記裏面抜き部１２ｆとを前記折り罫線１２ｅを介して折り重ねた形態にして図４に示すように本発明のスタンド式芳香シート用器具の透明保持板Ａ下部に設けられたシート保持部１１にセットし、該器具のスイッチをオンにしたところ、図９に示すように発光体の光により、裏面抜き部１２ｆの半月の絵柄がシルエットとして浮かび上がり、芳香シート１２の表面１２ｇが幻想的な雰囲気を醸し出しながら、同時に芳香シート１２から芳香剤が揮散し、香気がただよった。
【００５６】
＜実施例３＞
図２及び図３に示すように透明保持板Ａの透明板８に係り止め用フック６を設け、筐体Ｂの開口枠部９フレームの底部１３に係り止め用フック孔１３ａを設け、その他は実施例１と同様の形態を有するスタンド式芳香シート用器具を用いて、実施例１及び２と同様の芳香シート１２でディスプレイ性と芳香性のテストを行った結果、全く同様に発光体の光により、裏面の絵柄が芳香シート１２の表面にシルエットとして浮かび上がり、幻想的な雰囲気を醸し出しながら、同時に芳香シート１２から芳香剤が揮散し、香気がただよった。
【００５７】
【発明の効果】
本発明は、下部に光透過性の芳香シートを保持するシート保持部を設けた透明保持板と、前面に前記保持板が装着される開口枠部を設けた筐体とからなる器具に該筐体内部に前記芳香シートを透過して可視される光量の発光体を設けたスタンド式芳香シート用器具において、該器具のシート保持部に美麗な絵柄を表面に有し、裏面に発光体の光によりシルエットとして浮かび上がる絵柄を設けた装飾性や美的訴求力を発揮する芳香シートをセットすることにより、例えば幻想的な雰囲気を醸し出しながら、同時に芳香シートから芳香剤が揮散し、香気がただよう視覚的なディスプレイ効果を有する芳香シートを用いたインテリア調で且つ従来の芳香機能を備えたディスプレイタイプのスタンド式芳香シート用器具を提供する。
【図面の簡単な説明】
【図１】本発明に係るスタンド式芳香シート用器具の一実施例を示す平面図である。
【図２】本発明に係るスタンド式芳香シート用器具の他の実施例を示す側断面図である。
【図３】本発明に係るスタンド式芳香シート用器具において芳香シートを保持した形態の他の実施例を示す側断面図である。
【図４】本発明に係るスタンド式芳香シート用器具において芳香シートを保持した形態の一実施例を示すＸ−Ｘ側断面図である。
【図５】本発明に係る芳香シートの表面に絵柄を設けた形態の一実施例を示す平面図である。
【図６】本発明に係る芳香シートの裏面に光透過時にシルエットとなる絵柄を形成した形態の一実施例を示す平面図である。
【図７】本発明に係る芳香シートの表面に光透過時に裏面の絵柄がシルエットとなって浮かび上がった形態の一実施例を示す平面図である。
【図８】本発明に係る芳香シートの一方面に表面絵柄部と、他方面に光透過時にシルエットとなる裏面抜き部を設けた形態の他の実施例を示す平面図である。
【図９】本発明に係る図８の芳香シートの表面絵柄部と光透過時にシルエットとなる裏面抜き部とを重ね合わせ該芳香シートの表面絵柄部に裏面抜き部がシルエットとなって浮かび上がった形態の他の実施例を示す平面図である。
【符号の説明】
Ａ・・・透明保持板
Ｂ・・・筐体
１・・・発光体
２・・・プリント基盤
３・・・スイッチ
４・・・電源ボックス
５・・・ビス
６・・・係り止め用フック
７・・・係り止め用フック孔
８・・・透明板
９・・・開口枠部
１０・・・電源
１１・・・シート保持部
１２・・・芳香シート    １２ａ・・・表面    １２ｂ・・・裏面    １２ｃ・・・表面    １２ｄ・・・表面絵柄部    １２ｅ・・・折り罫線    １２ｆ・・・裏面抜き部１２ｇ・・・表面
１３・・・底部  １３ａ・・・係り止め用フック孔
【図１】
2004174053.tif 000003
【図２】
2004174053.tif 000004
【図３】
2004174053.tif 000005
【図４】
2004174053.tif 000006
【図５】
2004174053.tif 000007
【図６】
2004174053.tif 000008
【図７】
2004174053.tif 000009
【図８】
2004174053.tif 000010
【図９】
2004174053.tif 000011